(57)【特許請求の範囲】
【請求項１】
ソース機器からオーディオ・ビデオ信号を受信するとともに該ソース機器と制御情報を送受信するソース機器インタフェースと、
前記ソース機器インタフェースが前記ソース機器から受信した制御情報に基づいて、予め定めた複数のオプション機能のうち前記ソース機器が対応しているオプション機能を検出するソース機器機能検出部と、
シンク機器に対してオーディオ・ビデオ信号を送信するとともに該シンク機器と制御情報を送受信するシンク機器インタフェースと、
前記シンク機器インタフェースが前記シンク機器から受信した制御情報に基づいて、前記ソース機器が対応しているオプション機能のうち前記シンク機器が対応していないオプション機能を検出するシンク機器機能検出部と、
前記シンク機器機能検出部が前記シンク機器が対応していないオプション機能を検出したとき、その旨を示す特定テキストまたは特定図形を表示する処理を行う表示手段と、
を備えたオーディオ・ビデオ機器。
【請求項２】
ソース機器からオーディオ・ビデオ信号を受信するソース機器インタフェースと、
前記ソース機器インタフェースが受信したオーディオ・ビデオ信号を再生するために必要なオプション機能を検出するコンテンツ再生機能検出部と、
シンク機器に対してオーディオ・ビデオ信号を送信するとともに該シンク機器と制御情報を送受信するシンク機器インタフェースと、
前記シンク機器インタフェースが前記シンク機器から受信した制御情報に基づいて、オーディオ・ビデオ信号を再生するために必要なオプション機能のうち前記シンク機器が対応していないオプション機能を検出するシンク機器機能検出部と、
前記シンク機器機能検出部が前記シンク機器が対応していないオプション機能を検出したとき、その旨を示す特定テキストまたは特定図形を表示する処理を行う表示手段と、
を備えたオーディオ・ビデオ機器。
【請求項３】
前記表示手段は、前記特定テキストまたは特定図形を前記シンク機器に送信するビデオ信号に合成することより、前記シンク機器の画面に表示させる請求項１または請求項２に記載のオーディオ・ビデオ装置。
【請求項４】
前記表示手段は、前記シンク機器インタフェースが前記シンク機器において選択されたとき、前記特定テキストまたは特定図形をビデオ信号に合成する処理を行う請求項３に記載のオーディオ・ビデオ機器。
【発明の詳細な説明】
【技術分野】
【０００１】
この発明は、ケーブル等によって接続されている他のＡＶ機器が対応していない（または対応している）オプション機能をユーザに分かりやすく表示するオーディオ・ビデオ機器に関する。
【背景技術】
【０００２】
映像信号伝送のインタフェース規格であるＨＤＭＩは、年々新たなバージョンが発表されており、バージョンがあがるにつれて対応可能なオプション機能が増えている。たとえば、ＨＤＭＩバージョン１．４では、新たに３Ｄ、４ｋ２ｋ、ＡＲＣ、ＨＥＣ等のオプション機能に対応可能になっている。ここで、３Ｄは三次元（３Ｄ）映像であり、４ｋ２ｋは従来のハイビジョン方式の約４倍の画素数を有する高精細映像であり、ＡＲＣはＨＤＭＩケーブルを介したオーディオ信号のアップストリーム伝送であり、ＨＥＣはＨＤＭＩケーブルを介したＥｔｈｅｒｎｅｔ（登録商標）通信機能である。
【０００３】
ただし、これらのオプション機能を用いたコンテンツの再生等を行うためには、システムとして接続されている全てのＡＶ機器がそのオプション機能に対応している必要がある。
【０００４】
しかし、一般のユーザは、自己が購入したＡＶ機器（ＤＶＤプレーヤやテレビなど）のＨＤＭＩバージョンやどのようなオプション機能に対応しているかについて十分な知識を持っているとは言えない。このため、ＡＶシステムを構成する１つの機器を最新のものにに買い換えたが、その最新の機器の機能を発揮したオーディオ・ビデオの再生ができず、その理由も判らず不満を募らせることがあった。たとえば、３Ｄ映像を再生可能なＤＶＤプレーヤまたはＢｌｕ−Ｒａｙプレーヤを購入したが、テレビが３Ｄ映像に対応していないために、３Ｄコンテンツを再生してもテレビには通常の映像しか映らず、その理由が判らないという場合がある。
【０００５】
一方、従来より、ソース機器とシンク機器のバージョン、オプション機能の異同をチェックする機能を備えたＡＶ機器が提案されていた（たとえば特許文献１）。特許文献１の装置は、ソース機器とシンク機器の機能を比較し、一方が対応していない機能がある場合には、その機能を有する機器においてもその機能を停止することによって、システム全体として異常な動作をしないようにしたものである。
【先行技術文献】
【特許文献】
【０００６】
【特許文献１】特開２００９−０３３４４６号公報
【発明の概要】
【発明が解決しようとする課題】
【０００７】
しかし、上記特許文献１の方式では、機器間のＨＤＭＩバージョン、オプション機能の違いによる不具合が発生しないように自動的に対応しているが、ある機器が備えている機能が発揮できていないと言う不利益が発生していることをユーザに知らせることができないという問題点があった。
【０００８】
すなわち、どのようなオプション機能が働いていないか、および、どのような機器を接続するのが望ましいかを提示し、ユーザが新たな機器を用意する手がかり・きっかけを提供できていないという問題点があった。
【０００９】
この発明は、ＡＶシステムを構成する機器間の機能の相違を表示して、所望の機能が発揮できない旨を知らせることができるオーディオ・ビデオ機器を提供することを目的とする。
【課題を解決するための手段】
【００１１】
請求項１の発明は、ソース機器からオーディオ・ビデオ信号を受信するとともに該ソース機器と制御情報を送受信するソース機器インタフェースと、前記ソース機器インタフェースが前記ソース機器から受信した制御情報に基づいて、予め定めた複数のオプション機能のうち前記ソース機器が対応しているオプション機能を検出するソース機器機能検出部と、シンク機器に対してオーディオ・ビデオ信号を送信するとともに該シンク機器と制御情報を送受信するシンク機器インタフェースと、前記シンク機器インタフェースが前記シンク機器から受信した制御情報に基づいて、前記ソース機器が対応しているオプション機能のうち前記シンク機器が対応していないオプション機能を検出するシンク機器機能検出部と、前記シンク機器機能検出部が前記シンク機器が対応していないオプション機能を検出したとき、その旨を示す特定テキストまたは特定図形を表示する処理を行う表示手段と、を備えたことを特徴とする。
【００１２】
請求項２の発明は、ソース機器からオーディオ・ビデオ信号を受信するソース機器インタフェースと、前記ソース機器インタフェースが受信したオーディオ・ビデオ信号を再生するために必要なオプション機能を検出するコンテンツ再生機能検出部と、シンク機器に対してオーディオ・ビデオ信号を送信するとともに該シンク機器と制御情報を送受信するシンク機器インタフェースと、前記シンク機器インタフェースが前記シンク機器から受信した制御情報に基づいて、オーディオ・ビデオ信号を再生するために必要なオプション機能のうち前記シンク機器が対応していないオプション機能を検出するシンク機器機能検出部と、前記シンク機器機能検出部が前記シンク機器が対応していないオプション機能を検出したとき、その旨を示す特定テキストまたは特定図形を表示する処理を行う表示手段と、を備えたことを特徴とする。
【００１３】
請求項３の発明は、上記発明において、前記表示手段は、前記特定テキストまたは特定図形を前記シンク機器に送信するビデオ信号に合成することより、前記シンク機器の画面に表示させることを特徴とする。
【００１４】
請求項４の発明は、請求項３の発明において、前記表示手段は、前記シンク機器インタフェースが前記シンク機器において選択されたとき、前記特定テキストまたは特定図形をビデオ信号に合成する処理を行うことを特徴とする。
【発明の効果】
【００１６】
この発明によれば、シンク機器またはソース機器で対応していないオプション機能を表示することができるため、ＡＶシステムにおいてユーザ所望の機能が発揮できていない場合でも、ユーザはその原因が判り、どのような機器を接続するのが望ましいかを知ることができるという利点が生じる。
【図面の簡単な説明】
【００１７】
【図１】この発明の実施形態であるオーディオ・ビデオシステムの構成を示す図
【図２】ＡＶレシーバのメモリの記憶内容を示す図
【図３】ＡＶレシーバの動作を示すフローチャート
【発明を実施するための形態】
【００１８】
図１はこの発明の実施形態であるオーディオ・ビデオ（ＡＶ）システムの構成図である。このＡＶシステムでは、ソース機器であるＤＶＤプレーヤ１、ＡＶレシーバ２、および、シンク機器であるテレビ（ＴＶ）３がこの順序で接続されており、さらに、ＡＶレシーバ２にはスピーカ５が接続されている。なお、ソース機器はＤＶＤプレーヤに限定されず、たとえばＢｌｕ−Ｒａｙプレーヤ等でもよい。
【００１９】
ＤＶＤプレーヤ１とＡＶレシーバ２、および、ＡＶレシーバ２とテレビ３は、ＨＤＭＩケーブル４で接続されている。すなわち、ＤＶＤプレーヤ１とＡＶレシーバ２、および、ＡＶレシーバ２とテレビ３は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のインタフェースで信号の送受信を行う。ここで、ＨＤＭＩは，非圧縮のハイビジョン映像とマルチチャネルオーディオ信号を劣化のないデジタル方式で伝送できる音声映像系のインターフェースである。ＨＤＭＩには複数のバージョンがあり、各バージョンにおいて、それぞれ１または複数のオプション機能が規定されている。
【００２０】
現在最新のＨＤＭＩバージョンはバージョン１．４であり、バージョン１．４がサポートしている主なオプション機能は、以下のとおりである。
【００２１】
３Ｄ：複数の方式の三次元（３Ｄ）映像信号の伝送をするための機能である。伝送可能な３Ｄ方式としては、ディスプレイを横に分割して右目用・左目用の映像を表示するサイドバイサイド方式、ディスプレイをラインごとに分割して右目用・左目用の映像を表示するラインオルタナティブ方式、フレーム毎に右目用・左目用の映像を交互に表示するフレームオルタナティブ方式等がある。
【００２２】
４ｋ２ｋ：通常のフルハイビジョン方式（１９２０×１０８０画素）の約４倍の画素数を有する３８４０×２１６０画素または４０９６×２１６０画素の精彩な映像を伝送・表示するための機能である。
【００２３】
ＡＲＣ（Ａｕｄｉｏ  Ｒｅｔｕｒｎ  Ｃｈａｎｎｅｌ）：シンク機器からソース機器へＨＤＭＩケーブルを介してアップストリームでオーディオ信号を伝送する機能である。これにより、テレビ３で受信したテレビ放送の音声をオーディオケーブルを用いることなくＡＶレシーバ２に伝送してスピーカ５から放音させることが可能になる。
【００２４】
ＨＥＣ（ＨＤＭＩ  Ｅｔｈｅｒｎｅｔ（登録商標）  Ｃｏｎｔｒｏｌ）：ＨＤＭＩケーブルを介したＥｔｈｅｒｎｅｔ（登録商標）通信機能である。
【００２５】
なお、この実施形態では、ＡＶレシーバ２は最新のＨＤＭＩバージョン（バージョン１．４）で全てのオプション機能に対応しているが、ＤＶＤプレーヤ１、テレビ３がどのＨＤＭＩバージョンでどのオプション機能に対応した機器であるかは不明である。
【００２６】
ＤＶＤプレーヤ１は、ＤＶＤに記録されているコンテンツ（オーディオ・ビデオ信号）を再生してＡＶレシーバ２に出力するコンテンツ再生装置である。ＤＶＤプレーヤ１がＨＤＭＩバージョン１．４の３Ｄ映像に対応している場合、３Ｄ映像のディスクがセットされた場合には３Ｄの映像を再生してＡＶレシーバ２に出力する。
【００２７】
ＡＶレシーバ２は、装置の動作を制御する制御部１０、外部から入力されるオーディオ・ビデオ信号を受信するＨＤＭＩレシーバ１１、ビデオ信号を処理するビデオ処理部１２、オーディオ信号を処理するオーディオ処理部１３、オーディオ信号を増幅するアンプ１５、装置の動作状態等を表示するディスプレイ１７、および、オーディオ・ビデオ信号を外部へ出力するＨＤＭＩトランスミッタ１４を備えている。また、制御部１０は、接続されているテレビ３やＤＶＤプレーヤ１が備えるオプション機能を検出する機能検出部１５やその検出結果を表示する結果表示部１６を機能的に備えている。
【００２８】
ＨＤＭＩレシーバ１１は、ＤＶＤプレーヤ１が再生・出力したオーディオ・ビデオ信号を受信してビデオ処理部１２、オーディオ処理部１３に入力する。オーディオ処理部１３は、入力されたマルチチャンネルのオーディオ信号をデコードしてアンプ１５に入力する。アンプ１５は入力されたオーディオ信号を増幅してスピーカ５から放音する。オーディオ処理部１３は、制御部１０の指示に応じて、マルチチャンネルオーディオ信号のうちアンプ１５に入力するチャンネルとＨＤＭＩトランスミッタ１４（テレビ３）に出力するチャンネルを振り分ける。なお、全てのチャンネルのオーディオ信号をアンプ１５に入力するようにしてもよい。
【００２９】
ビデオ処理部１２は、ＨＤＭＩレシーバ１１から入力されたビデオ信号をバッファしたのちＨＤＭＩトランスミッタ１４に入力する。ビデオ処理部１２は、制御部１０から入力されるテキストをビデオ映像に合成するＯＳＤ機能も併せて備えている。制御部１０から入力されるテキストとしては、図２に示すような非対応告知文言、すなわちテレビ３が特定のオプション機能に対応していない旨を告知する文言がある。また、ビデオ処理部１２は、制御部１０からの指示に応じて、シンク機器であるテレビ３の映像表示機能に合わせるため、ビデオ信号の解像度等を変換する機能を有している。
【００３０】
ＨＤＭＩトランスミッタ１４は、ビデオ処理部１２から入力したビデオ信号、オーディオ処理部１３から入力したオーディオ信号をテレビ３に向けて出力する。この信号は、テレビ３のＨＤＭＩレシーバ２０によって受信される。
【００３１】
テレビ３は、ＨＤＭＩレシーバ２０およびＥＤＩＤメモリ２１を備えている。ＥＤＩＤメモリ２１は、テレビ３のディスプレイ情報であるＥＤＩＤ（Ｅｘｔｅｎｄｅｄ  ｄｉｓｐｌａｙ  ｉｄｅｎｔｉｆｉｃａｔｉｏｎ  ｄａｔａ）を記憶した不揮発性のメモリである。ＥＤＩＤとは、テレビの機種名や解像度などをソース機器（ＡＶレシーバ２）に伝えるための情報である。このＥＤＩＤに、テレビ３が３Ｄ、４ｋ２ｋなどのオプション機能に対応しているか否かが記述されている。
【００３２】
ＨＤＭＩトランスミッタ１４、ＨＤＭＩレシーバ２０は、オーディオ・ビデオ信号をソース機器からシンク機器へ伝送するための経路であるＴＭＤＳ（Ｔｒａｎｓｉｔｉｏｎ
Ｍｉｎｉｍｉｚｅｄ  Ｄｉｆｆｅｒｅｎｔｉａｌ  Ｓｉｇｎａｌｉｎｇ）と並行して、各種制御信号の経路であるＤＤＣ（Ｄｉｓｐｌａｙ  Ｄａｔａ  Ｃｈａｎｎｅｌ）やＣＥＣ（Ｃｏｎｓｕｍｅｒ  Ｅｌｅｃｔｒｏｎｉｃｓ  Ｃｏｎｔｒｏｌ）を備えている。ＥＤＩＤメモリ２１に記憶されているＥＤＩＤは、ＤＤＣを介してテレビ３（ＨＤＭＩレシーバ２０）からＡＶレシーバ２（ＨＤＭＩトランスミッタ１４）に転送される。
【００３３】
ＡＶレシーバ２とテレビ３の双方が立ち上がって相互の接続が確立されるとき、ＥＤＩＤがテレビ３（ＨＤＭＩレシーバ２０）からＡＶレシーバ２（ＨＤＭＩトランスミッタ１４）に転送される。ＨＤＭＩトランスミッタ１４が受信したＥＤＩＤは、制御部１０に入力される。ＡＶレシーバ２の制御部１０は、このＥＤＩＤに基づいてテレビ３の映像表示機能を判断し、テレビ３が表示可能な適切な設定にビデオ信号を変換するようビデオ処理部１２に指示を送る。
【００３４】
また、制御部１０は、ＥＤＩＤやＨＤＭＩトランスミッタ１４とテレビ３のＨＤＭＩレシーバ２０との通信内容に基づいて、テレビ３が対応していないオプション機能を検出し、テレビ３がそのオプション機能に対応していない旨をユーザに知らせるための非対応告知文言をディスプレイ１７やテレビ３の画面に表示する。なお、テレビ３の映像表示機能（ディスプレイ情報）については、テレビ３（ＨＤＭＩレシーバ２０）からＥＤＩＤとして情報が送られてくるが、ＡＲＣやＨＥＣなどの映像の表示と直接関係しない機能については、ＥＤＩＤ以外の通信に基づいて対応／非対応を検出している。
【００３５】
図３は、ＡＶレシーバ２の制御部１０の動作を示すフローチャートである。ＡＶレシーバ２、テレビ３両方の機器が起動するとＡＶレシーバ２、テレビ３間のＨＤＭＩの接続処理が開始される（Ｓ１）。この接続処理において、制御部１０は、ＨＤＭＩトランスミッタ１４を介してテレビ３からＥＤＩＤを受信する（Ｓ２）。制御部１０は、受信したＥＤＩＤに基づいて、テレビ３がＨＤＭＩバージョン１．４のオプション機能である３Ｄ映像の表示に対応しているか否かを判断する（Ｓ３）。テレビ３が３Ｄ映像の表示に対応していない場合には（Ｓ３でＮＯ）、その旨の非対応告知文言を一定時間（５秒程度）表示する（Ｓ４）。非対応告知文言は、ＡＶレシーバ２の本体ディスプレイ１７に表示されるとともに、ビデオ処理部１２がテレビ３に転送されるビデオ信号にＯＳＤ合成する。非対応告知文言は、図２に示すような内容であり、テレビ３が特定のオプション機能に対応していないときにテレビ３の画面およびディスプレイ１７に表示する文言である。各非対応告知文言は、所望の映像がなぜ表示されないかをユーザに分かりやすく知らせるための文言になっている。
【００３６】
次に、受信したＥＤＩＤに基づいて、テレビ３がＨＤＭＩバージョン１．４の４ｋ２ｋ映像の表示に対応しているか否かを判断する（Ｓ５）。テレビ３が４ｋ２ｋ映像の表示に対応していない場合には（Ｓ５でＮＯ）、その旨の非対応告知文言を一定時間表示する（Ｓ６）。
【００３７】
次に、制御部１０は、ＨＤＭＩトランスミッタ１４がテレビ３からのＡＲＣ起動要求を受信しているかを判定する（Ｓ７）。ＨＤＭＩトランスミッタ１４がテレビ３からＡＲＣ起動要求を受信している場合はテレビ３がＡＲＣに対応していると考えられる。ＨＤＭＩトランスミッタ１４がテレビ３からＡＲＣ起動要求を受信していない場合には（Ｓ７でＮＯ）、テレビ３がＡＲＣに対応していないと考えられるため、テレビ３がＡＲＣに対応していない旨の非対応告知文言を一定時間表示する（Ｓ８）。次に、制御部１０は、ＨＤＭＩトランスミッタ１４を介してテレビ３（ＨＤＭＩレシーバ２０）に対するＨＥＣの初期通信を行う（Ｓ９）。この初期通信はＣＥＣの制御ラインを用いて行われる。この初期通信に対してテレビ３から正常な応答があれば（Ｓ１０でＹＥＳ）、テレビ３がＨＥＣに対応していると判定する。一方、応答がない場合やエラーの応答があった場合には（Ｓ１０でＮＯ）テレビ３はＨＥＣに未対応であると判断し、テレビ３がＨＥＣに対応していない旨の非対応告知文言を一定時間表示する（Ｓ１１）。こののち、オプション機能検出結果をメモリに記憶して（Ｓ１２）、必要なときにいつでも表示できるようにして処理を終了する。
【００３８】
上記オプション機能検出処理において、３Ｄ，４ｋ２ｋ，ＡＲＣ，ＨＥＣの検出順序は上記フローチャートの順に限定されない。また、上記オプション機能検出処理において、テレビ３からＡＲＣ接続要求があるか否かでテレビ３がＡＲＣに対応しているか否かを判定しているが、ＡＶレシーバ２からテレビ３に対してＡＲＣに対応しているか否かを問い合わせるようにしてもよい。
【００３９】
上記実施形態（フローチャート）では、ＡＶレシーバとテレビの接続が開始されたとき（ＨＤＭＩの初期化時）にオプション機能の対応状況を検出して、非対応告知文言を一定時間（５秒程度）表示するようにしているが、表示タイミングおよび表示期間は上記に限定されない。表示タイミングとしては、テレビ３において、入力セレクタでＡＶレシーバ２が選択されたときに、ビデオ信号にＯＳＤ合成して表示するようにしてもよい。また、ＡＶレシーバ２に確認ボタンを設け、確認ボタンが押されたとき、ＯＳＤおよびディスプレイ１７に表示するようにしてもよい。また、確認ボタンを設け、確認ボタンが押されるまで非対応告知文言を表示し続けるようにしてもよい。
【００４０】
テレビ３がオプション機能に対応していない旨を分かりやすく表す表示は、文言に限定されない。たとえば、その機能を表す図形を「×」で消した図形などでもよい。また、「対応している旨」を文言等で表示してもよい。
【００４１】
また、ＡＶレシーバ２が、シンク機器（テレビ３）、ソース機器（ＤＶＤプレーヤ１）について検出するオプション機能は、ＨＤＭＩバージョン１．４に規定されたものに限定されない。
【００４２】
また、上記実施形態では、ＡＶレシーバ２の下流側の装置（シンク機器）であるテレビ３が対応していないオプション機能を検出して、その検出結果を表示するようにしているが、ＡＶレシーバ２の上流側の装置（ソース機器）のオプション機能を検出してその検出結果を表示するようにしてもよい。
【００４３】
また、ＡＶレシーバ２が、ソース機器（ＤＶＤプレーヤ１）のオプション機能を検出し、そのオプション機能についてテレビ３の対応の有無を検出して、その検出結果を表示するようにしてもよい。これにより、ソース機器（ＤＶＤプレーヤ１）が対応していない機能について、わざわざ非対応を告知することがなくなる。
【００４４】
さらに、ＡＶレシーバ２が、ソース機器（ＤＶＤプレーヤ１）からビデオ信号が入力されたとき、そのビデオ信号の機能的な種別（３Ｄ、４ｋ２ｋなど）に基づき、その機能にテレビ３が対応しているか否かを検出して、その結果を表示するようにしてもよい。
【符号の説明】
【００４５】
１  ＤＶＤプレーヤ（ソース機器）
２  ＡＶレシーバ
３  テレビ（シンク機器）
１０  制御部
１１  ＨＤＭＩレシーバ
１２  ビデオ処理部
１３  オーディオ処理部
１４  ＨＤＭＩトランスミッタ
２０  ＨＤＭＩレシーバ
２１  ＥＤＩＤメモリ
【図１】
0005509892.tif 000002
【図２】
0005509892.tif 000003
【図３】
0005509892.tif 000004